(57)【要約】【課題】複数の常夜灯用ＬＥＤ及び受光素子の配置スペースをコンパクトにする。【解決手段】リモコン信号による放電灯２の点灯制御を可能とする照明器具１において、放電灯２を保持する器具本体３に、放電灯を点灯制御する点灯回路の電子部品が実装された点灯回路基板５が絶縁板５０を通じて固定されている。この点灯回路基板５には、リモコン信号を受信する受光素子６が実装され、この受光素子６の周囲には複数の常夜灯用ＬＥＤ７・・・のそれぞれが実装されている。【選択図】図１
2008098116.tif 000002
【特許請求の範囲】
【請求項１】
リモコン信号による放電灯の点灯制御を可能とする照明器具であって、
前記放電灯を保持する器具本体と、
前記器具本体に設けられる基板と、
前記基板に実装されて前記リモコン信号を受光する受光素子と、
それぞれが前記基板のうち前記受光素子の周囲に実装される複数の常夜灯用ＬＥＤと
を備えることを特徴とする照明器具。
【請求項２】
前記基板が、前記放電灯を点灯制御する点灯回路の電子部品が実装された点灯回路基板であることを特徴とする請求項１記載の照明器具。
【請求項３】
前記放電灯が環状ランプであり、
前記器具本体に設けられて前記環状ランプの口金を装着するソケットを備え、
前記受光素子が前記器具本体の中心と前記ソケットとの間に配置される
ことを特徴とする請求項１又は２記載の照明器具。
【請求項４】
前記器具本体が円板状に形成され、当該器具本体が、建築物の配線器具への取付用に設けられた長円状の取付部を有し、
前記複数の常夜灯用ＬＥＤ及び前記受光素子が前記取付部の短手方向の外方に配置される
ことを特徴とする請求項１乃至３のいずれか１項に記載の照明器具。
【請求項５】
前記複数の常夜灯用ＬＥＤ及び前記受光素子の先端側に開口が形成され当該複数の常夜灯用ＬＥＤ及び当該受光素子を内側に取り囲む包囲部材を備えることを特徴とする請求項１乃至４のいずれか１項に記載の照明器具。
【請求項６】
前記受光素子が先端に受光面を有し、
前記基板の実装面の法線方向から見て前記受光面が内部に位置するように当該受光面の先端側に設けられ、当該内部を介して前記リモコン信号を当該受光面に伝達させる筒部を有する採光用部材を備える
ことを特徴とする請求項５記載の照明器具。
【請求項７】
前記採光用部材が、前記基板の実装面の法線方向から見て前記包囲部材の中央に配置されることを特徴とする請求項６記載の照明器具。
【請求項８】
前記採光用部材が、前記筒部の前記基板側に前記受光素子を収納する収納部を有することを特徴とする請求項６又は７記載の照明器具。
【請求項９】
前記包囲部材の前記開口に覆設される絶縁カバーを備えることを特徴とする請求項５乃至８のいずれか１項に記載の照明器具。
【発明の詳細な説明】
【技術分野】
【０００１】
本発明は、リモコン信号による放電灯の点灯制御を可能とする照明器具に関するものである。
【背景技術】
【０００２】
リモコン信号による放電灯の点灯制御を可能とする従来の照明器具として、特許文献１に開示されているようなものがある。この特許文献１の照明器具は、リモコン制御信号（リモコン信号）を受信する受光素子と、この受光素子とは別の位置に設けられて保安灯となる集合型のＬＥＤ（複数の常夜灯用ＬＥＤ）とを有する照明器具用リモコンユニットを装備している。
【特許文献１】特開２００３−１６２９２０号公報（段落０００６及び第２図）
【発明の開示】
【発明が解決しようとする課題】
【０００３】
このような照明器具では、例えば点灯回路（インバータ基板）などに発熱部品が実装されており、他の部品と比べて使用保証温度の低い受光素子を発熱部品から離隔して実装する必要がある。
【０００４】
しかしながら、従来の照明器具には、複数の常夜灯用ＬＥＤと受光素子とが別々の位置に実装されているので、配置スペースが大きくなってしまうという問題があった。これにより、複数の常夜灯用ＬＥＤ及び受光素子を発熱部品から十分に隔離させることができなかった。
【０００５】
本発明は上記の点に鑑みて為されたものであり、その目的とするところは、複数の常夜灯用ＬＥＤ及び受光素子の配置スペースをコンパクトにすることができる照明器具を提供することにある。
【課題を解決するための手段】
【０００６】
請求項１の発明は、リモコン信号による放電灯の点灯制御を可能とする照明器具であって、前記放電灯を保持する器具本体と、前記器具本体に設けられる基板と、前記基板に実装されて前記リモコン信号を受光する受光素子と、それぞれが前記基板のうち前記受光素子の周囲に実装される複数の常夜灯用ＬＥＤとを備えることを特徴とする。
【０００７】
請求項２の発明は、請求項１の発明において、前記基板が、前記放電灯を点灯制御する点灯回路の電子部品が実装された点灯回路基板であることを特徴とする。
【０００８】
請求項３の発明は、請求項１又は２の発明において、前記放電灯が環状ランプであり、前記器具本体に設けられて前記環状ランプの口金を装着するソケットを備え、前記受光素子が前記器具本体の中心と前記ソケットとの間に配置されることを特徴とする。
【０００９】
請求項４の発明は、請求項１乃至３のいずれか１項の発明において、前記器具本体が円板状に形成され、当該器具本体が、建築物の配線器具への取付用に設けられた長円状の取付部を有し、前記複数の常夜灯用ＬＥＤ及び前記受光素子が前記取付部の短手方向の外方に配置されることを特徴とする。
【００１０】
請求項５の発明は、請求項１乃至４のいずれか１項の発明において、前記複数の常夜灯用ＬＥＤ及び前記受光素子の先端側に開口が形成され当該複数の常夜灯用ＬＥＤ及び当該受光素子を内側に取り囲む包囲部材を備えることを特徴とする。
【００１１】
請求項６の発明は、請求項５の発明において、前記受光素子が先端に受光面を有し、前記基板の実装面の法線方向から見て前記受光面が内部に位置するように当該受光面の先端側に設けられ、当該内部を介して前記リモコン信号を当該受光面に伝達させる筒部を有する採光用部材を備えることを特徴とする。
【００１２】
請求項７の発明は、請求項６の発明において、前記採光用部材が、前記基板の実装面の法線方向から見て前記包囲部材の中央に配置されることを特徴とする。
【００１３】
請求項８の発明は、請求項６又は７の発明において、前記採光用部材が、前記筒部の前記基板側に前記受光素子を収納する収納部を有することを特徴とする。
【００１４】
請求項９の発明は、請求項５乃至８のいずれか１項の発明において、前記包囲部材の前記開口に覆設される絶縁カバーを備えることを特徴とする。
【発明の効果】
【００１５】
請求項１の発明によれば、複数の常夜灯用ＬＥＤが受光素子の周囲に配置されることによって、複数の常夜灯用ＬＥＤと受光素子が別々に配置される場合と比べて、複数の常夜灯用ＬＥＤ及び受光素子の配置スペースをコンパクトにすることができる。
【００１６】
請求項２の発明によれば、複数の常夜灯用ＬＥＤ及び受光素子と点灯回路の電子部品とが同一基板に実装されるので、複数の常夜灯用ＬＥＤ及び受光素子と点灯回路の電子部品とを電気的に接続する例えばコネクタや電線などの接続部品を削減することができるとともに、複数の常夜灯用ＬＥＤ、受光素子及び点灯回路の電子部品を高密度に実装することを可能とする。
【００１７】
請求項３の発明によれば、ソケットに装着される環状ランプの口金にはランプ発光体がなく、リモコン信号に対する光ノイズが少ないので、このような環状ランプの口金と器具本体の中心との間に受光素子が配置されることによって、他のスペースに受光素子が配置される場合と比べて、受光素子におけるリモコン信号の受光性能を向上させることができる。
【００１８】
請求項４の発明によれば、円板状の器具本体において、取付部の長手方向と比べて大きなスペースを有する取付部の短手方向の外方に複数の常夜灯用ＬＥＤ及び受光素子が配置されることによって、スペースを有効に利用することができる。
【００１９】
請求項５の発明によれば、包囲部材によって、例えば発熱部品などの他の電子部品から発生する熱を遮断することができるので、複数の常夜灯用ＬＥＤ及び受光素子に伝達する熱を低減することができる。
【００２０】
請求項６の発明によれば、受光素子が受光面で基板の実装面の法線方向からの光を主に受光することができるので、例えば受光素子に内蔵されている光学フィルタを効果的に作用させることができるなど、受光素子におけるリモコン信号の受光性能を十分に発揮させることができる。
【００２１】
請求項７の発明によれば、採光用部材が包囲部材の中央に配置されることによって、それぞれの常夜灯用ＬＥＤから外部に放射される光に対して採光用部材の影響を小さくすることができる。
【００２２】
請求項８の発明によれば、採光用部材が受光素子を収納することによって、受光素子の受光面をそれぞれの常夜灯用ＬＥＤと隔離することができるので、それぞれの常夜灯用ＬＥＤから放射されて包囲部材で乱反射した光による光ノイズを低減することができ、受光素子におけるリモコン信号の受光性能をより向上させることができる。
【００２３】
請求項９の発明によれば、包囲部材の開口を絶縁カバーが覆うことによって、ユーザが複数の常夜灯用ＬＥＤ及び受光素子に誤って触れる可能性を低減することができる。
【発明を実施するための最良の形態】
【００２４】
（実施形態１）
本発明の実施形態１に係る照明器具の構成について図１〜４を用いて説明する。この照明器具１は、図１に示すように、リモコン送信器（図示せず）からのリモコン信号による放電灯２の点灯制御を可能とするものであり、放電灯２を上面側で保持する器具本体３と、器具本体３の上面側に配置される反射板４と、放電灯２を点灯制御する点灯回路の電子部品（例えば発熱部品５１など）が実装された点灯回路基板（インバータ基板）５と、点灯回路基板５に実装されてリモコン信号を受光する受光素子６と、それぞれが点灯回路基板５のうち受光素子６の周囲に実装された複数の常夜灯用ＬＥＤ７・・・と、複数の常夜灯用ＬＥＤ７・・・及び受光素子６を内側に取り囲む保護ケース８と、保護ケース８の開口８０に覆設される絶縁カバー９とを備えている。また、図示していないが、照明器具１は、例えば部屋などの建築物の天井面に設置され例えば商用電源などの外部電源と接続する例えば引掛ローゼットや引掛シーリングなどの配線器具に係合する例えば引掛ローゼットアダプタや引掛シーリングアダプタなどの取付アダプタと、例えば細長い金属板などで形成され放電灯２を支持するランプ支持具と、放電灯２を収納して器具本体３の上面側全体を覆い被せるようにして取り付けられるグローブとをも備える。グローブは、例えばアクリル樹脂など乳白色の透過拡散性を有する樹脂材料で形成されたものである。このような構成の照明器具１は、配線器具（図示せず）が設置されている天井面（図示せず）に、器具本体３の上面が地面と対向するように設置される。
【００２５】
リモコン送信器（図示せず）からのリモコン信号は赤外線信号である。このリモコン信号の波長帯域は赤外線の波長帯域であれば限定されるものではなく、実施形態１では９４５ｎｍとしている。
【００２６】
放電灯２は例えば二重環状タイプの蛍光灯などの環状ランプであり、電極部（図示せず）を内蔵する口金２０を備え、器具本体３に同心円状に取り付けられる。この器具本体３に取り付けられる放電灯２は、口金２０で点灯回路基板５の点灯回路と電気的に接続し、この点灯回路から電力が供給されると点灯する。また、口金２０の近傍にはランプ発光体がなくランプ光量が少ないため、光ノイズが他の場所より小さい。なお、放電灯２は二重環状タイプのものに限定されるものではなく、１本の環状タイプのものであってもよい。
【００２７】
器具本体３は例えば金属板などで円板状に形成されたものであり、円状の底面部３０と、底面部３０の外縁から上方に延設された段差部３１と、段差部３１の外縁から外方に延設された円環部３２と、円環部３２の外縁から上方に延設された筒状の端部３３とを一体に備えている。底面部３０の中央には、建築物の配線器具（図示せず）への取付用に設けられた長円状（小判状）の取付部３４が設けられている。この取付部３４には、円状の開口３５が中央に形成され、この開口３５の周囲に１対の孔部３６，３６（図２参照）が形成されている。円環部３２には、グローブに設けられた突出部（図示せず）と係合するための３つの係合部３７，３７，３７（図２参照）が同一円上に等間隔で設けられている。上記それぞれの係合部３７がグローブの突出部と係合することによって、グローブが器具本体３に取り付けられる。また、底面部３０の上面には、放電灯２を装着するソケット３８が設けられ、器具本体３はソケット３８を通じて放電灯２を上面側で保持する。このソケット３８は電線（図示せず）を介して点灯回路基板５の点灯回路と電気的に接続する。
【００２８】
反射板４は例えば金属板などで形成されたものであり、円錐台状の主要部４０と、主要部４０の外縁から外方に延設された円環部４１とを一体に備えている。主要部４０には、長円状（小判状）の開口４２が中央に形成され、開口４２の短手方向の外方に、保護ケース８が嵌め込まれる長方形状の開口４３が形成され、さらに外縁に、ソケット３８が挿入される開口４４が形成されている。つまり、開口４３は、器具本体３の中心とソケット３８との間に形成されていることになる。
【００２９】
点灯回路基板５は絶縁板５０によって器具本体３の上面側に固定されるものである。この点灯回路基板５上に構成されている点灯回路は、取付アダプタ（図示せず）を介して外部電源（図示せず）から電力が供給され、受光素子６からのリモコン信号に基づいて放電灯２及び複数の常夜灯用ＬＥＤ７・・・を点灯制御する。なお、点灯回路を構成する電子部品には発熱部品５１が含まれている。
【００３０】
絶縁板５０は樹脂成型され、器具本体３の底面部３０に取り付けられるものであり、長円状の開口５００が形成された底面部５０１と、開口５００の外縁から上方に延設された長円状の内壁部５０２と、底面部５０１の外縁から上方に延設された外壁部５０３と、底面部５０１の複数箇所から上方に突出して設けられた複数の係合部５０４・・・とを一体に備えている。この絶縁板５０は、複数の係合部５０４・・・が点灯回路基板５の外縁と係止することによって、点灯回路基板５を固定する。
【００３１】
受光素子６は先端に受光面６０を備え（図３参照）、樹脂成型されたケース６１に収納された状態で、器具本体３の中心とソケット３８との間に配置されると同時に、複数の常夜灯用ＬＥＤ７・・・とともに、取付部３４の短手方向の外方に配置されるようにして、点灯回路基板５に実装されている。このように実装された受光素子６は、リモコン送信器（図示せず）から送信されたリモコン信号を受光し、受光したリモコン信号を、点灯回路基板５に構成されている点灯回路に出力する。ここで、受光素子６におけるリモコン信号の受光性能は、リモコン送信器（図示せず）からのリモコン信号レベルと光ノイズレベルとの信号レベル比で表される。この信号レベル比が大きいほうが、リモコン信号の受光性能が良好といえる。なお、放電灯２の口金２０にはランプ発光体がなく光ノイズが小さくなることから、受光素子６は器具本体３の中心とソケット３８との間の中でもできるだけソケット３８側に配置されるほうが好ましい。
【００３２】
複数の常夜灯用ＬＥＤ７・・・のそれぞれは、互いに受光素子６からの距離を等しくして受光素子６の周囲に配置されている。つまり、それぞれの常夜灯用ＬＥＤ７は、受光素子６を中心とする同一円上に配置されていることになる。これにより、照明器具１は、それぞれの常夜灯用ＬＥＤ７からの光を反射板４の開口４３を介して均一に配光することができる。
【００３３】
それぞれの常夜灯用ＬＥＤ７は波長５８０ｎｍ以上６００ｎｍ以下の光を放射する。この波長範囲とリモコン信号の波長（９４５ｎｍ）とは３００ｎｍ以上も離れており、互いに干渉することを低減可能な波長差である。これにより、受光素子６がそれぞれの常夜灯用ＬＥＤ７からの光をリモコン信号と誤って認識することを低減することができる。
【００３４】
保護ケース８は、断熱効果を有する例えばポリプロピレンなどの樹脂材料で直方体状に成型されたものであり、長手方向の一端側に上端から下端まで貫通する開口８０が形成され、長手方向の他端側に開口８１が形成されている。この保護ケース８は、図３に示すように、開口８０の点灯回路基板５側の下端と点灯回路基板５との間に隙間を空けて取り付けられている。これにより、保護ケース８に上からの力が加わった場合であっても、点灯回路基板５に応力がかからないようにすることができる。隙間の間隔は限定されるものではないが、実施形態１では光が漏れない点から１ｍｍ程度としている。
【００３５】
点灯回路基板５に取り付けられた保護ケース８は、図１に示すように、長手方向の一端側で複数の常夜灯用ＬＥＤ７・・・及び受光素子６を内側に取り囲み、それぞれの常夜灯用ＬＥＤ７からの光を開口８０から外部に放射させるための包囲部材８２としての機能を有する。これにより、複数の常夜灯用ＬＥＤ７・・・を発熱部品５１から隔離することができる。一方、保護ケース８は長手方向の他端側で操作用スイッチ５２を取り囲み、操作スペース部８３としての機能を有する。
【００３６】
このような保護ケース８がないとそれぞれの常夜灯用ＬＥＤ７からの光が拡散してしまい、グローブ（図示せず）に到達するまでに障害物があると、グローブに投影される形状がいびつになってしまうが、実施形態１のように保護ケース８を備えることによって、光の広がる範囲を制限し、グローブに投影されるシルエットを美しくすることができる。
【００３７】
ところで、保護ケース８の色は、光が反射しやすい例えば白色などの色である。これにより、内側に取り囲んでいる複数の常夜灯用ＬＥＤ７・・・のそれぞれからの光を開口８０より外部に放射しやすくすることができる。また、保護ケース８の樹脂材料としてさらに好ましいものは、可視領域から赤外線領域までの波長の光に対して透過率の低い樹脂材料である。
【００３８】
また、保護ケース８には、図３に示すように、点灯回路基板５の実装面の法線方向から見て開口８０の中央に配置された採光用部材８４が設けられている。上記のように採光用部材８４が開口８０の中央に配置されることで、複数の常夜灯用ＬＥＤ７・・・から配光される光の均一性を阻害することがない。この採光用部材８４は、点灯回路基板５の実装面の法線方向から見て受光面６０が内部に位置するように上記受光面６０の先端側（図３の上側）に設けられた筒部８４０と、筒部８４０の点灯回路基板５側（図３の下側）に延設され受光素子６を収納する収納部８４１とを一体に備えている。図４には採光用部材８４の斜視図を示している。このような構成の採光用部材８４は、図３に示すように、収納部８４１の点灯回路基板５側（図３の下側）の端部が受光面６０より点灯回路基板５側に位置し、この端部と点灯回路基板５との間に隙間を空けて取り付けられている。これにより、保護ケース８に上からの力が加わった場合であっても、点灯回路基板５に応力がかからないようにすることができる。隙間の間隔は限定されるものではないが、実施形態１では光が漏れない点から１ｍｍ程度としている。このようにして取り付けられた採光用部材８４は筒部８４０の内部を介してリモコン信号を受光面６０に伝達させる。
【００３９】
絶縁カバー９は、表面がすりガラス状又はガラス状に処理された拡散用のものであり、図１に示すように、保護ケース８の開口８０に覆設されることによって、保護ケース８の内部から放射された複数の常夜灯用ＬＥＤ７・・・の光を拡散し、より均一な光とする。これにより、部屋全体をぼやっと照らし出すようなやわらかい光にすることができる。一方、絶縁カバー９は外部からのリモコン信号を集光させることができるので、グローブ（図示せず）の種類に影響することなく、受光素子６におけるリモコン信号の受光性能を安定させることができる。さらに、絶縁カバー９が開口８０に覆設されることによって、ユーザが容易に複数の常夜灯用ＬＥＤ７・・・及び受光素子６に触れることができないようにすることができる。
【００４０】
以上、実施形態１によれば、複数の常夜灯用ＬＥＤ７・・・が受光素子６の周囲に配置されることによって、複数の常夜灯用ＬＥＤ７・・・と受光素子６が別々に配置される場合と比べて、複数の常夜灯用ＬＥＤ７・・・及び受光素子６の配置スペースをコンパクトにすることができる。また、複数の常夜灯用ＬＥＤ７・・・及び受光素子６と点灯回路の電子部品とが同一基板（点灯回路基板５）に実装されるので、複数の常夜灯用ＬＥＤ７・・・及び受光素子６と点灯回路の電子部品とを電気的に接続する例えばコネクタや電線などの接続部品を削減することができるとともに、複数の常夜灯用ＬＥＤ７・・・、受光素子６及び点灯回路の電子部品を高密度に実装することを可能とする。
【００４１】
環状ランプである放電灯２において、ソケット３８に装着される口金２０にはランプ発光体がなく、リモコン信号に対する光ノイズが少ないので、このような放電灯２の口金２０と器具本体３の中心との間に受光素子６が配置されることによって、他のスペースに受光素子６が配置される場合と比べて、受光素子６におけるリモコン信号の受光性能を向上させることができる。また、円板状の器具本体３において、取付部３４の長手方向と比べて大きなスペースを有する取付部３４の短手方向の外方に複数の常夜灯用ＬＥＤ７・・・及び受光素子６が配置されることによって、スペースを有効に利用することができる。
【００４２】
保護ケース８によって、複数の常夜灯用ＬＥＤ７・・・及び受光素子６が取り囲まれ、発熱部品５１から発生する熱を遮断することができるので、複数の常夜灯用ＬＥＤ７・・・及び受光素子６に伝達する熱を低減することができる。また、保護ケース８の内部に採光用部材８４が設けられることによって、受光素子６が受光面６０で点灯回路基板５の実装面の法線方向からの光を主に受光することができるので、例えば受光素子６に内蔵されている光学フィルタ（図示せず）などを効果的に作用させることができるなど、受光素子６におけるリモコン信号の受光性能を十分に発揮させることができる。
【００４３】
採光用部材８４が包囲部材８２の中央に配置されることによって、それぞれの常夜灯用ＬＥＤ７から外部に放射される光に対して採光用部材８４の影響を小さくすることができる。また、採光用部材８４が受光素子６を収納することによって、受光素子６の受光面６０をそれぞれの常夜灯用ＬＥＤ７と隔離することができるので、それぞれの常夜灯用ＬＥＤ７から放射されて包囲部材８２で乱反射した光による光ノイズを低減することができ、受光素子６におけるリモコン信号の受光性能をより向上させることができる。
【００４４】
保護ケース８の一端側にある包囲部材８２の開口８０を絶縁カバー９が覆うことによって、ユーザが複数の常夜灯用ＬＥＤ７・・・及び受光素子６に誤って触れる可能性を低減することができる。
【００４５】
（実施形態２）
本発明の実施形態２に係る照明器具の構成について図５を用いて説明する。この照明器具１ａは、実施形態１の照明器具１（図１参照）と同様に、器具本体３と、反射板４と、点灯回路基板５と、絶縁カバー９とを備えているが、実施形態１の照明器具１にはない以下に記載の特徴部分を有する。
【００４６】
実施形態２の照明器具１ａは、図５に示すように、点灯回路基板５において実施形態１の受光素子よりも器具本体３の中心側に実装された受光素子６と、受光素子６の周囲のうち片側のみに実装された複数の常夜灯用ＬＥＤ７・・・とを備えている。つまり、それぞれの常夜灯用ＬＥＤ７は受光素子６を中心とする同一円上に扇状に実装された構成である。なお、実施形態２の受光素子６及び複数の常夜灯用ＬＥＤ７・・・は上記以外の点において実施形態１の受光素子及び複数の常夜灯用ＬＥＤと同様である。
【００４７】
実施形態２の保護ケースは図示されていないが、複数の常夜灯用ＬＥＤ７・・・を内側に取り囲み、さらに受光素子６を内側に取り囲むように採光用部材が設けられている。なお、実施形態２の保護ケースは上記以外の点において実施形態１の保護ケース８（図１参照）と同様である。
【００４８】
以上、実施形態２においても、実施形態１と同様の効果を奏することができるとともに、受光素子６が、実施形態１のように複数の常夜灯用ＬＥＤの内側に囲まれて実装された場合と比べて、より器具本体３の中心側に実装されて設けられているので、リモコン信号をより受光しやすくすることができる。
【図面の簡単な説明】
【００４９】
【図１】本発明の実施形態１に係る照明器具の分解斜視図である。
【図２】同上に係る照明器具の要部を示す断面図である。
【図３】同上に係る照明器具の平面図である。
【図４】同上に係る採光用部材の斜視図である。
【図５】本発明の実施形態２に係る照明器具の要部を示す斜視図である。
【符号の説明】
【００５０】
１，１ａ  照明器具
２  放電灯
３  器具本体
３４  取付部
３８  ソケット
５  点灯回路基板
５０  絶縁板
６  受光素子
６０  受光面
７  常夜灯用ＬＥＤ
８  保護ケース
８０  開口
８２  包囲部材
８４  採光用部材
８４０  筒部
８４１  収納部
９  絶縁カバー
【図１】
2008098116.tif 000003
【図２】
2008098116.tif 000004
【図３】
2008098116.tif 000005
【図４】
2008098116.tif 000006
【図５】
2008098116.tif 000007